(57)【要約】【課題】見栄えが良好な車両用表示装置を提供する。【解決手段】車両用表示装置は、照射光を供給する照射光供給部と、透光性材料により形成され、照射光供給部から照明されることにより、視認側へ向けて発光する発光リング部材５０と、基端側を発光リング部材５０に隣接すると共に、発光リング部材５０よりも視認側に延伸して設けられ、側方を向く内側壁面６２を有する立壁部６１と、を備える。発光リング部材５０は、内側壁面６２の基端側と隣接しつつ視認側に露出する隣接露出部５１と、照射光供給部側の当接表面５６から視認側に凹む凹部５７と、を有する。凹部５７は、当接表面５６側から凹部５７の凹底部５７ａに向かって傾斜する傾斜面５８，５９を有する。傾斜面５８，５９は、隣接露出部５１のうち内側壁面６２とは離れる方向に照射光を屈折する屈折部分を形成している。【選択図】図４
2018146402.tif 000002
【特許請求の範囲】
【請求項１】
車両に搭載される車両用表示装置であって、
照射光を供給する照射光供給部（４０）と、
透光性材料により形成され、前記照射光供給部から照明されることにより、視認側へ向けて発光する発光部（５０）と、
基端側を前記発光部に隣接すると共に、前記発光部よりも視認側に延伸して設けられ、側方を向く側壁面（６２）を有する立壁部（６１）と、を備え、
前記発光部は、
前記側壁面の基端側と隣接しつつ視認側に露出する隣接露出部（５１）と、
前記照射光供給部側の表面（５６）から視認側に凹む凹部（５７）と、を有し、
前記凹部は、前記表面側から前記凹部の凹底部（５７ａ）に向かって傾斜する傾斜面（５８，５９）を有し、
前記傾斜面は、前記隣接露出部のうち前記側壁面とは離れる方向に前記照射光を屈折する屈折部分を形成している車両用表示装置。
【請求項２】
前記照射光供給部は、
前記照射光を発光する光源（４１）と、
前記光源からの前記照射光を透過する透光領域を有する板部材（４５）と、を有し、
前記発光部は、前記板部材よりも視認側に配置された透光性部材である請求項１に記載の車両用表示装置。
【請求項３】
前記傾斜面は、前記板部材の延設方向に対して、４５度以下の傾斜角をなしている請求項２に記載の車両用表示装置。
【請求項４】
前記隣接露出部は、
前記板部材の延設方向に沿って形成された平行露出面（５２）と、
前記平行露出面よりも前記側壁面が向いている方向に立壁部から遠ざかる位置に配置され、前記側壁面が向いている方向に向かう程、前記表面側に傾斜しつつ視認側に露出する傾斜露出面（５３，５４）と、を有する請求項２又は３に記載の車両用表示装置。
【請求項５】
前記凹底部は、前記平行露出面と重なって配置される請求項４に記載の車両用表示装置。
【請求項６】
前記傾斜面により屈折された前記照射光の視認側への射出を遮る遮光部（６１ｂ，６５）を、さらに備える請求項１から５のいずれか１項に記載の車両用表示装置。
【請求項７】
回動する指針（３２）を、さらに備え、
前記発光部は、前記指針を囲む環状に形成され、
前記立壁部は、前記発光部に隣接するように、両端が開口する筒状に形成されている請求項１から６のいずれか１項に記載の車両用表示装置。
【発明の詳細な説明】
【技術分野】
【０００１】
本開示は、車両に搭載される車両用表示装置に関する。
【背景技術】
【０００２】
従来、車両に搭載される車両用表示装置が知られている。特許文献１に開示の装置は、発光ユニット、導光板、表示板、及び見返し板部を有している。発光ユニット（照射光供給部）は、照射光を供給する。一体的に配置された導光板及び表示板（発光部）は、透光性材料により形成され、発光ユニットから照明されることにより、視認側へ向けて発光するようになっている。見返し板部（立壁部）は、基端側を発光部に隣接するすると共に、発光部よりも視認側に延伸して設けられ、側方を向く暗色の見返し面（側壁面）を有している。
【０００３】
視認側へ向けて発光する導光板及び表示板は、見返し面の基端側と隣接しつつ視認側に露出する外周リング部（隣接露出部）を有している。一方、導光板及び表示板の発光ユニット側の表面には、凹部は形成されていない。
【先行技術文献】
【特許文献】
【０００４】
【特許文献１】特開２０１７−３５１５号公報
【発明の概要】
【発明が解決しようとする課題】
【０００５】
特許文献１では、外周リング部から発光した光により、当該外周リング部に隣接する見返し板部が明るく照明されてしまう。このため、見返し板部が明るく視認され、発光する表示板と立壁部との輝度コントラストが低下してしまう。この結果、車両用表示装置の見栄えが十分でない場合があった。
【０００６】
本発明は、以上説明した問題に鑑みてなされたものであって、その目的は、見栄えが良好な車両用表示装置を提供することにある。
【課題を解決するための手段】
【０００７】
開示される発明のひとつは、車両に搭載される車両用表示装置であって、
照射光を供給する照射光供給部（４０）と、
透光性材料により形成され、照射光供給部から照明されることにより、視認側へ向けて発光する発光部（５０）と、
基端側を発光部に隣接すると共に、発光部よりも視認側に延伸して設けられ、側方を向く側壁面（６２）を有する立壁部（６１）と、を備え、
発光部は、
側壁面の基端側と隣接しつつ視認側に露出する隣接露出部（５１）と、
照射光供給部側の表面（５６）から視認側に凹む凹部（５７）と、を有し、
凹部は、表面側から凹部の凹底部（５７ａ）に向かって傾斜する傾斜面（５８，５９）を有し、
傾斜面は、隣接露出部のうち側壁面とは離れる方向に照射光を屈折する屈折部分を形成している。
【０００８】
このような発明によると、照射光供給部の照射光が、透光性材料により形成された発光部を照明する。ここで、発光部において、照射光供給部側の表面から視認側に凹む凹部が設けられている。こうした凹部の凹底部に、照射光は入射し得る。
【０００９】
凹部は、表面側から凹底部に向かって傾斜する傾斜面を有している。凹部への照射光は、傾斜面の屈折部分に入射すると、当該傾斜面の傾斜方向に合わせて屈折される。こうした屈折により、照明光は、隣接露出部のうち側壁面とは離れる方向に方向転換される。故に、隣接露出部のうち側壁面近傍へ照射光が到達し難くなる。したがって、隣接露出部のうち側壁面近傍からの発光量が抑制されるため、隣接露出部が立壁部における側壁面と隣接していても、立壁部の特に側壁面が明るく照明されてしまう事態は抑制される。以上により、発光部と立壁部の特に側壁面との輝度コントラストを高めることができ、見栄えが良好な車両用表示装置を提供することができる。
【００１０】
なお、括弧内の符号は、記載内容の理解を容易にすべく、後述する実施形態において対応する構成を例示するものに留まり、発明の内容を限定することを意図したものではない。
【図面の簡単な説明】
【００１１】
【図１】一実施形態における車両用表示装置において、立壁部よりも内周側を部分的に示す正面図である。
【図２】図１のII−II線断面図である。
【図３】図１のIII−III線断面図である。
【図４】図２のIV部を拡大して示す図である。
【図５】変形例１における図１に対応する図である。
【図６】変形例１における図４に対応する図である。
【発明を実施するための形態】
【００１２】
以下、本発明の一実施形態を図面に基づいて説明する。
【００１３】
図１に示すように、本発明の一実施形態による車両用表示装置１００は、車両に搭載され、当該装置１００を視認する乗員が着座する座席と対向するインストルメントパネルに設置されている。車両用表示装置１００は、乗員が位置することとなる視認側へ向けて車両の情報を表示可能となっている。本実施形態において、視認側とは反対側を背面側とする。
【００１４】
このような車両用表示装置１００は、図２〜３にも示すように、ケース部１０、実装基板２０、指針部３０、照射光供給部４０、発光リング部材５０、プレートウインド部材６０、及び透光板７０等により構成されている。
【００１５】
ケース部１０は、背面側ケース部品１１及び視認側ケース部品１２を組み合わせて形成されている。背面側ケース部品１１は、例えば合成樹脂により遮光性に形成されており、実装基板２０を背面側から覆っている。視認側ケース部品１２は、例えば合成樹脂により遮光性に形成されており、背面側ケース部品１１よりも視認側に配置されている。視認側ケース部品１２は、実装基板２０を外周側から囲むと共に、実装基板２０より視認側に配置されている照射光供給部４０を収容及び保持している。また視認側ケース部品１２は、外周側において、透光板７０又はプレートウインド部材６０と結合される結合部１３を貫通穴状に有している。
【００１６】
実装基板２０は、例えば合成樹脂により平板状に形成されている。実装基板２０には、指針部３０を駆動するためのステッピングモータ３１、指針部３０を照明するための発光素子４１、照射光供給部４０の発光素子３３等が実装及び保持されている。
【００１７】
指針部３０は、ステッピングモータ３１、指針３２、及び発光素子３３を有している。ステッピングモータ３１は、実装基板２０の背面側に保持されている。指針３２は、視認側ケース部品１２において中空筒状に形成された指針軸挿通筒部１４内において、ステッピングモータ３１の回転軸３１ａと連結される連結部３２ａを有すると共に、後述する表示板４５の貫通穴を通して当該表示板４５よりも視認側に針状部３２ｂを有している。指針３２は、ステッピングモータ３１の出力に応じてその指針軸ＡＸを回転中心として回動するようになっており、回動位置（目盛の指示位置）に応じて車両の情報を表示することが可能となっている。
【００１８】
車両の情報としては、車両の速度、エンジン回転数、燃料残量、バッテリ残量、エンジン冷却水の水温、あるいは車両を駆動する電動モータの電流値等を採用することが可能である。特に本実施形態において、説明に用いた指針３２では、エンジン回転数が表示されるようになっている。
【００１９】
なお、指針軸挿通筒部１４の背面側端部は、実装基板２０と隙間少なく配置されており、実装基板２０において指針軸挿通筒部１４に囲まれた箇所には、発光素子３３が配置されている。発光素子３３が発光することで、指針３２の針状部３２ｂが照明されるようになっている。
【００２０】
また、視認側ケース部品１２において、中空筒状に形成された複数の導光筒部１５が設けられている。各導光筒部１５の背面側端部は、実装基板２０と隙間少なく配置されており、背面側端部から視認側端部に向かうに従って、各導光筒部１５の径が漸次大きくなっている。各導光筒部１５の視認側端部は実質同じ高さに設けられており、視認側ケース部品１２において、各導光筒部１５の視認側端部と接続された接続板部１６が設けられている。接続板部１６は、実装基板２０及び表示板４５に対して実質平行に配置された平板状を呈しており、実装基板２０を視認側から覆っている。
【００２１】
照射光供給部４０は、複数の発光素子４１、導光部材４３、及び表示板４５を有している。各発光素子４１は、導光筒部１５に個別に対応している光源である。各発光素子４１は、実装基板２０において、対応する導光筒部１５に囲まれた箇所に１つずつ配置されている。本実施形態の各発光素子４１には、発光ダイオード素子が採用されており、各発光素子４１は、実装基板２０上の配線パターンを通じて電源と接続されることで、視認側へ向けて照射光を発光するようになっている。なお、各発光素子４１は、単色に発光する発光素子であってもよく、色の切り替えが可能なマルチカラーの発光素子であってもよい。また本実施形態では、指針部３０の発光素子３３にも発光素子４１と同様の発光ダイオード素子が採用されている。
【００２２】
導光部材４３は、例えばアクリル樹脂ないしはポリカーボネイト樹脂等の合成樹脂により、透過率の高い透光性に形成されており、実装基板２０と表示板４５との間に配置されている。導光部材４３は、導出部４３ａ及び複数の導入部４３ｂを一体的に形成している。導出部４３ａは、上述の接続板部１６と表示板４５とに挟まれて、当該接続板部１６に沿った平板状に形成されている。各導入部４３ｂは、各導光筒部１５に対応して設けられている。各導入部４３ｂは、導光筒部１５の形状に合わせて、導出部４３ａから背面側に突出する円錐台状を呈している。これにより、各導入部４３ｂは、対応する導光筒部１５の内部空間の大半を占有している。
【００２３】
各導入部４３ｂにおいて、発光素子４１と対向する導入面４３ｃは、視認側に凹む凹面状に形成されている。発光素子４１から発せられた照射光は、導入面４３ｃから導光部材４３のうち導入部４３ｂの媒質内部に導入される。内部に導入された照明光は、導入部４３ｂの表面にて反射されながら、導入部４３ｂの内部を導出部４３ａまで導光されるようになっている。また、導入部４３ｂの表面にて導光部材４３の外部に射出されてしまった照明光も、導光筒部１５の鏡面状の内壁面１５ａに反射されることで、再び導入部４３ｂの内部に戻される。
【００２４】
導入部４３ｂから導出部４３ａへと導光された照明光は、導出部４３ａの媒質内部にて、背面側の表面に反射されながら、導出部４３ａの略全域に行き渡る。そして、導出部４３ａの視認側の表面から表示板４５へ向けて射出される。
【００２５】
表示板４５は、一般的に文字板とも呼ばれている板部材であり、視認側ケース部品１２の開口部を視認側から覆い、当該視認側ケース部品１２によって保持されている。表示板４５は、例えば透光性を有する合成樹脂からなる透光基材の視認側の表面に、半透光性又は遮光性の印刷が部分的に施されて形成されている。なお、印刷に代えて、塗装が施されていてもよい。本実施形態の表示板４５は、指針軸ＡＸを中心とした円板状に形成されている。
【００２６】
表示板４５において、視認側に露出する領域の多くは、遮光性の印刷が施されていることで、照射光を遮光する遮光領域４５ａとなっている。表示板４５において視認側に露出する領域のうち一部は、半透光性の印刷又は透光基材の露出により、照射光を透過する透光領域４５ｂとなっている。この透光領域４５ｂが目盛４６ａ又は文字４６ｂの輪郭をなすことで、指針３２に指示される指標４６が形成されている。指標４６は、指針軸ＡＸを中心とした部分円環状に配置されている。特に本実施形態において指標４６のうち目盛４６ａは、発光リング部材５０の内周側に隣接して設けられている。
【００２７】
発光リング部材５０は、例えばアクリル樹脂ないしはポリカーボネイト樹脂等の合成樹脂により、透過率の高い透光性に形成されている。発光リング部材５０は、表示板４５の視認側の表面と当接して、当該表示板４５よりも視認側に突出すると共に、指針３２を囲み、指針軸ＡＸを中心とした円環状を呈している。本実施形態では、表示板４５のうち、発光リング部材５０と対向する領域は、透光基材の露出より、透光領域４５ｂに設定されている。したがって、各発光素子４１から導光部材４３を経た照射光が透光領域４５ｂを透過して、発光リング部材５０に入射するようになっている。このようにして、照射光供給部４０が供給する照射光によって、発光リング部材５０が照明されることにより、発光リング部材５０は、視認側へ向けて発光するようになっている。
【００２８】
プレートウインド部材６０は、例えば合成樹脂により遮光性の暗色（特に本実施形態では黒色）に形成され、全体としては、中空筒状を呈している。プレートウインド部材６０は、立壁部６１、張出部６５、及び結合部６６等を一体的に有している。
【００２９】
立壁部６１は、両端が開口する中空筒状かつ立壁状に形成されている。立壁部６１において、内周側の側方を向く内側壁面６２は、基端側を発光リング部材５０に隣接すると共に、発光リング部材５０よりも視認側に延伸して設けられている。特に本実施形態では、立壁部６１の基端部６１ｂが発光リング部材５０の視認側表面のうち、径方向の中央部分５０ａと当接している。
【００３０】
特に本実施形態の内側壁面６２の延伸寸法は、車両上方において最も小さく設定され、車両下方に向かうに従って漸次大きくなるように設定されている。こうした寸法設定により、車両用表示装置１００の奥行感及び立体感が演出されている。
【００３１】
立壁部６１及び内側壁面６２は、視認側へ向かうに従って外周側に拡がるように、表示板４５に対して傾斜している。こうした傾斜により、立壁部６１において内側壁面６２とは反対側の外側壁面６３は、乗員からは視認されないようになっている。
【００３２】
張出部６５は、立壁部６１から外周側に張り出して形成されている。張出部６５は、視認側ケース部品１２の枠端部１７と透光板７０の外周部７１との間に挟まれている。こうした張出部６５の挟持により、プレートウインド部材６０の位置ずれが抑制される。
【００３３】
結合部６６は、張出部６５から背面側に突出する係合爪６６ａが視認側ケース部品１２の結合部１３と係合することにより、当該結合部１３と結合されている。
【００３４】
透光板７０は、例えばアクリル樹脂ないしはポリカーボネイト樹脂等の合成樹脂により、透過率の高い透光性に形成された曲板状を呈しており、車両用表示装置１００において最も視認側に配置されている。透光板７０の外周部７１は、上述のようにプレートウインド部材６０の張出部６５を挟持している。さらに透光板７０の外周側には、結合部７２が設けられている。結合部７２は、外周部７１から背面側に突出する係合爪７２ａが視認側ケース部品１２の結合部１３と係合することにより、当該結合部１３と結合されている。
【００３５】
こうした車両用表示装置１００において、発光リング部材５０の構成を、図４を用いつつ、より詳細に説明する。
【００３６】
発光リング部材５０は、内側壁面６２の基端側と隣接しつつ、視認側に露出する隣接露出部５１を有している。本実施形態では、発光リング部材５０において、立壁部６１の基端部６１ｂに対して外周側は、上述の張出部６５に視認側から完全に覆われており、露出していない。一方で、発光リング部材５０において、立壁部６１の基端部６１ｂに対して内周側は、視認側に露出することで隣接露出部５１を構成している。
【００３７】
隣接露出部５１は、平行露出面５２及び傾斜露出面５３，５４を有している。平行露出面５２は、視認側を向くことで露出し、表示板４５の延設方向に沿って、当該表示板４５と略平行に沿設されるように形成されている。平行露出面５２は、隣接露出部５１のうち最も外周側に配置されることで、内側壁面６２と鈍角をなして接している。平行露出面５２は、発光リング部材５０の全周に亘って実質等しい幅の円環状に形成されている。
【００３８】
傾斜露出面５３，５４は、視認側に露出している。傾斜露出面５３，５４は、平行露出面５２よりも内側壁面６２が向いている方向（すなわち内周側の側方）に立壁部６１から遠ざかる位置、すなわち平行露出面５２よりも内周側に配置されている。傾斜露出面５３，５４は、内周側に向かう程、表示板４５側に傾斜している。
【００３９】
より詳細に、本実施形態では、傾斜露出面として、外周側傾斜露出面５３及び内周側傾斜露出面５４が設けられている。
【００４０】
外周側傾斜露出面５３は、内周側傾斜露出面５４よりも外周側に配置されることで、平行露出面５２とは鈍角をなして接している。外周側傾斜露出面５３は、発光リング部材５０の全周に亘って実質等しい幅の円環状に形成されている。
【００４１】
内周側傾斜露出面５４は、隣接露出部５１のうち最も内周側に配置されることで、外周側傾斜露出面５３とは鈍角をなして接している。内周側傾斜露出面５４は、発光リング部材５０の全周に亘って実質等しい幅の円環状に形成されている。表示板４５の延設方向に対する内周側傾斜露出面５４の傾斜角は、表示板の延設方向に対する外周側傾斜露出面５３の傾斜角よりも大きく設定されている。そして、内周側傾斜露出面５４の内周側端部は、表示板４５と接している。
【００４２】
また、発光リング部材５０は、背面側（すなわち照射光供給部４０側）において、表示板４５と当接する平面状の当接表面５６を有している。そして、発光リング部材は、当該当接表面５６から視認側に凹む凹部５７を有している。
【００４３】
凹部５７は、当接表面５６側から凹部５７の凹底部５７ａに向かって傾斜する傾斜面５８，５９を有している。具体的に本実施形態では、傾斜面として、外周側傾斜面５８及び内周側傾斜面５９が設けられている。
【００４４】
外周側傾斜面５８は、内周側傾斜面５９よりも外周側に設けられ、外周側から内周側へ向かう程、表示板４５から遠ざかるように傾斜している。外周側傾斜面５８は、発光リング部材５０の全周に亘って実質等しい幅の円環状に形成されている。外周側傾斜面５８は、表示板４５の延設方向に対して、４５度以下の傾斜角をなしている。
【００４５】
内周側傾斜面５９は、外周側傾斜面５８よりも内周側に設けられ、内周側から外周側へ向かう程、表示板から遠ざかるように傾斜している、内周側傾斜面５９は、発光リング部材５０の全周に亘って実質等しい幅の円環状に形成されている。内周側傾斜面５９は、表示板４５の延設方向に対して、４５度以下の傾斜角をなしている。
【００４６】
このような外周側傾斜面５８及び内周側傾斜面５９により、凹部５７の凹底部５７ａは、径方向断面において、Ｖ字状をなしている。凹底部５７ａは、隣接露出部５１（特に平行露出面５２）と重なって配置されている。より詳細に、凹底部５７ａにおいて、最も凹み寸法が大きな外周側傾斜面５８と内周側傾斜面５９との接続部分５７ｂは、表示板４５及び平行露出面５２と実質垂直な方向において、平行露出面５２が存在する範囲ＣＲと重なるように配置されている。
【００４７】
表示板４５を透過して発光リング部材５０に入射する照射光供給部４０からの照射光は、主に表示板４５に対して垂直な方向に進む。ここで、内周側傾斜面５９よりも内周側の当接表面５６に入射する照射光の一部は、内周側傾斜露出面５４に反射された後、さらに外周側傾斜露出面５３に反射されて、内側壁面６２よりも外周側へ進むようになっている。内周側傾斜面５９よりも内周側の当接表面５６に入射する照射光の他の一部は、外周側傾斜露出面５３を屈折して視認側へ射出される。
【００４８】
凹部５７のうち内周側傾斜面５９に入射する照射光の一部は、隣接露出部５１のうち内側壁面６２とは離れる方向（すなわち内周側）に屈折された後、外周側傾斜露出面５３を屈折して視認側へ射出される。内周側傾斜面５９により屈折された照射光に対して、外周側傾斜露出面５３への入射角が４５度以下となるように、外周側傾斜露出面５３の傾斜角は設定されている。そして、外周側傾斜露出面５３での屈折においては、内側壁面６２とは離れる方向に屈折された照射光の方向が表示板４５に対する垂直方向に若干戻される。
【００４９】
凹部５７のうち外周側傾斜面５８に入射する照射光の一部は、隣接露出部５１のうち内側壁面６２とは離れる方向（すなわち外周側）に屈折された後、立壁部６１の基端部６１ｂ及び張出部６５により、発光リング部材５０の視認側への射出が遮られる。こうして基端部６１ｂ及び張出部６５は、遮光部として機能している。
【００５０】
このようにして、外周側傾斜面５８及び内周側傾斜面５９により、特に内側壁面６２に接する平行露出面５２が存在する範囲ＣＲからの照射光の射出は、抑制されている。平行露出面５２からの照射光の射出が抑制されていることにより、内側壁面６２に照射光が到達し難くなり、暗色の内側壁面６２の質感が際立って視認されるのである。
【００５１】
（作用効果）
以上説明した本実施形態の作用効果を以下に説明する。
【００５２】
本実施形態によると、照射光供給部４０の照射光が、透光性材料により形成された発光部としての発光リング部材５０を照明する。ここで、発光リング部材５０において、照射光供給部４０側の当接表面５６から視認側に凹む凹部５７が設けられている。こうした凹部５７の凹底部５７ａに、照射光は入射し得る。
【００５３】
凹部５７は、当接表面５６側から凹底部５７ａに向かって傾斜する傾斜面５８，５９を有している。凹部５７への照射光は、傾斜面５８，５９の屈折部分に入射すると、当該傾斜面５８，５９の傾斜方向に合わせて屈折される。こうした屈折により、照明光は、隣接露出部５１のうち側壁面としての内側壁面６２とは離れる方向に方向転換される。故に、隣接露出部５１のうち内側壁面６２近傍へ照射光が到達し難くなる。したがって、隣接露出部５１のうち内側壁面６２近傍からの発光量が抑制されるため、隣接露出部５１が立壁部６１における内側壁面６２と隣接していても、立壁部６１の特に内側壁面６２が明るく照明されてしまう事態は抑制される。以上により、発光リング部材５０と立壁部６１の特に内側壁面６２との輝度コントラストを高めることができ、見栄えが良好な車両用表示装置１００を提供することができる。
【００５４】
また、本実施形態によると、発光リング部材５０は、板部材としての表示板４５よりも視認側に配置された透光性部材である。こうした表示板４５の透光領域４５ｂを透過した照射光により、発光リング部材５０が当該表示板４５よりも視認側において発光するので、当該発光リング部材５０が浮かび上がったような照明効果を得ることができ、見栄えを向上させることができる。
【００５５】
また、本実施形態によると、傾斜面５８，５９は、表示板４５の延設方向に対して、４５度以下の傾斜角をなしている。このような傾斜角の設定では、表示板４５の延設方向に対して交差して透光領域４５ｂを透過した照射光の多くが傾斜面５８，５９にて反射されてしまうことを抑制できる。このため、例えば傾斜面５９が照射光を効率良く屈折させて、発光リング部材５０の視認側に誘導することができるので、発光リング部材５０の発光輝度が高まり、見栄えを向上させることができる。
【００５６】
また、本実施形態によると、発光リング部材５０の傾斜露出面５３，５４は、平行露出面５２よりも内側壁面６２が向いている方向に立壁部６１から遠ざかる位置に配置され、内側壁面６２が向いている方向に向かう程、当接表面５６側に傾斜しつつ視認側に露出する。傾斜面５８，５９での屈折によって内側壁面６２とは離れる方向に屈折した照射光を、傾斜露出面５３，５４が再び屈折することで、当該光の角度を調整して視認者に視認させることが可能となる。また、傾斜露出面５３，５４が傾斜していることで、発光リング部材５０の立体感が強調され、見栄えを向上させることができる。
【００５７】
また、本実施形態によると、凹底部５７ａは、平行露出面５２と重なって配置されている。これによれば、照射光が凹底部５７ａの屈折部分により屈折されることにより、平行露出面５２に照射光が到達し難くなり、立壁部６１の特に内側壁面６２が明るく照明されてしまう事態を、より一層抑制することができる。
【００５８】
また、本実施形態によると、外周側傾斜面５８により屈折された照射光の視認側への射出を遮る遮光部として機能する基端部６１ｂ及び張出部６５が設けられている。こうした基端部６１ｂ及び張出部６５により、立壁部６１の内側壁面６２とは反対側から照射光が漏光することが抑制されるので、見栄えを向上させることができる。
【００５９】
また、本実施形態によると、発光リング部材５０は、指針３２を囲む環状に形成され、立壁部６１は、発光リング部材５０に隣接するように、両端が開口する筒状に形成されている。このようにすると、筒状の立壁部６１が指針３２の奥行き感を強調しつつ、輝度コントラストを対比させた発光リング部材５０と立壁部６１により指針３２による表示が縁取られるので、車両用表示装置１００の見栄えは、一層良好なものとなる。
【００６０】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００６１】
具体的に変形例１としては、発光リング部材５０が、指標４６としての目盛を有していてもよい。図５，６の例では、発光リング部材５０において外周側傾斜露出面５３の幅を、目盛が必要な位置において部分的に大きくすることにより、内周側に張り出した張出目盛５０ｂを形成している。
【００６２】
変形例２としては、表示板４５のうち、発光リング部材５０と対向する領域の一部が、遮光領域４５ａに設定されていてもよい。発光リング部材５０と対向する領域のうち、当接表面５６と当接する領域を遮光領域４５ａに設定し、凹部５７と向かい合う領域を透光領域４５ｂに設定することにより、照射光供給部４０からの照射光を確実に凹部５７に入射させることができるので、傾斜面５８，５９での屈折効果が確実に発揮され、内側壁面６２に照射光がより到達し難くなる。
【００６３】
変形例３としては、隣接露出部５１において、２つの傾斜露出面５３，５４が設けられていなくてもよく、１つ又は３つ以上の傾斜露出面が設けられていてもよい。
【００６４】
変形例４としては、隣接露出部５１において、内側壁面６２と接する面は、平行露出面５２でなく、傾斜した面であってもよい。
【００６５】
変形例５としては、凹部５７は、傾斜面として、２つの傾斜面５８，５９を有していなくてもよい。例えば、凹部５７は、内周側傾斜面５９に相当する１つの傾斜面と、表示板４５に実質垂直な壁面により構成されていてもよい。
【００６６】
変形例６としては、立壁部６１は、内側壁面６２の基端側を発光リング部材５０に隣接させているものであれば、発光リング部材５０と当接していなくてもよい。例えば、立壁部６１の基端部６１ｂと発光リング部材５０の中央部分５０ａとの間に隙間が少し設けられていてもよい。
【００６７】
変形例７としては、視認側へ向けて発光する発光部として、発光リング部材５０に代えて、直線棒状の発光部、板状の発光部等が採用されてもよい。
【符号の説明】
【００６８】
１００  車両用表示装置、４０  照射光供給部、５０  発光リング部材（発光部）、５１  隣接露出部、５６  当接表面、５７  凹部、５８，５９  傾斜面、６１  立壁部、６２  内側壁面（側壁面）
【図１】
2018146402.tif 000003
【図２】
2018146402.tif 000004
【図３】
2018146402.tif 000005
【図４】
2018146402.tif 000006
【図５】
2018146402.tif 000007
【図６】
2018146402.tif 000008